(57)【要約】【課題】消費電力低減と利便性を両立させることを目的とする。【解決手段】自装置への電源供給を遮断するオフモード１と、オフモード１より消費電力が多くかつ復帰するために必要な時間がオフモード１よりも短いオフモード２と、を有し、動作指示が行われずに予め定めた時間経過後にオフモード２へ移行し、（オフモード１の消費電力Ｐ１×Ｔ＋スタンバイ時の消費電力Ｐ０×オフモード１から復帰するまでの復帰時間Ｔ１）≦（オフモード２の消費電力Ｐ２×Ｔ＋スタンバイ時の消費電力Ｐ０×オフモード２から復帰するまでの復帰時間Ｔ２）を満たす最小の移行時間ＴＡを予め求め、オフモード２へ移行してから移行時間ＴＡ経過後に、オフモード１へ移行するように主電源ＳＷ１２をコントローラ２０が制御する。【選択図】図１
2013196472.tif 000002
【特許請求の範囲】
【請求項１】
自装置への電源供給及び電源供給の遮断を行うためのスイッチ手段と、
自装置への電源供給を遮断する第１省電力モードと、前記第１の省電力モードより消費電力が多くかつ復帰するために必要な時間が前記第１の省電力モードよりも短い第２の省電力モードと、を有し、前記スイッチ手段によって前記電源供給を開始してから動作指示が行われずに予め定めた時間経過したときに前記第２の省電力モードへ移行するように制御すると共に、前記第２の省電力モードへ移行してから動作指示が行われずに経過した時間が、前記第１の省電力モードへ移行してから復帰するまでに要する電力量と、前記第２の省電力モードへ移行してから復帰するまでに要する電力量と、に基づいて予め算出した、前記第２の省電力モードから前記第１の省電力モードへ移行する移行時間を経過したときに、前記第１の省電力モードへ移行するように、前記スイッチ手段を制御する制御手段と、
を備えた情報処理装置。
【請求項２】
前記第２の省電力モード時の待機電力が変化するオプション装置の装着を検出する検出手段を更に備え、
前記制御手段が、前記検出手段によって前記オプション装置の装着が検出された場合に、前記オプション装置が装着された場合の前記第１の省電力モードへ移行してから復帰するまでに要する電力量と、前記オプション装置が装着された場合の前記第２の省電力モードへ移行してから復帰するまでに要する電力量と、に基づいて予め算出した時間を前記移行時間として、前記スイッチ手段を制御する請求項１に記載の情報処理装置。
【請求項３】
前記制御手段は、自装置の使用頻度が高いと想定される予め定めた条件の場合に、前記移行時間を予め定めた時間延長するように更に制御する請求項１又は請求項２に記載の情報処理装置。
【請求項４】
前記制御手段は、（時間Ｔにおける前記第１の省電力モードの電力量）＋（前記第１の省電力モードの復帰時に必要な電力量）≦（時間Ｔにおける前記第２の省電力モードの電力量）＋（前記第２の省電力モードの復帰時に必要な電力量）を満たす最小の時間Ｔを前記移行時間として前記スイッチ手段を制御する請求項１〜３の何れか１項に記載の情報処理装置。
【請求項５】
コンピュータを、請求項１〜４の何れか１項に記載の情報処理装置の制御手段として機能させるための情報処理装置の省電力プログラム。
【発明の詳細な説明】
【技術分野】
【０００１】
本発明は、情報処理装置及び情報処理装置の省電力プログラムに関する。
【背景技術】
【０００２】
近年、画像形成装置の待機時の消費電力の低減要求が高まってきており、例えば、ヨーロッパにおける省エネルギー規制のＥｒｐ（Energy-related Products）指令では、予め定めた時間経過後に自動的にオフモードへ移行して、消費電力を０．５Wac以下とする新規制が予定されている。待機時の消費電力を低減するためには、装置内の通電領域を少なくする必要がある。そこで、例えば、特許文献１に記載の技術では、画像形成装置の各構成部を制御または駆動するための複数の電源ブロックに分け、システム制御部に接続された電源ブロックに電力供給ラインをオンオフするスイッチ手段を設けて、システム制御部よりも消費電力が小さいスイッチ手段制御手段が、システム制御部への電力供給ラインをオフすることにと消費電力の低減を図ることが提案されている。
【先行技術文献】
【特許文献】
【０００３】
【特許文献１】特開２００６−１７３６９５号公報
【発明の概要】
【発明が解決しようとする課題】
【０００４】
本発明は、消費電力低減と利便性を両立させることを目的とする。
【課題を解決するための手段】
【０００５】
請求項１に記載の情報処理装置は、自装置への電源供給及び電源供給の遮断を行うためのスイッチ手段と、自装置への電源供給を遮断する第１省電力モードと、前記第１の省電力モードより消費電力が多くかつ復帰するために必要な時間が前記第１の省電力モードよりも短い第２の省電力モードと、を有し、前記スイッチ手段によって前記電源供給を開始してから動作指示が行われずに予め定めた時間経過したときに前記第２の省電力モードへ移行するように制御すると共に、前記第２の省電力モードへ移行してから動作指示が行われずに経過した時間が、前記第１の省電力モードから復帰するまでに要する電力量と、前記第２の省電力モードから復帰するまでに要する電力量と、に基づいて予め算出した、前記第２の省電力モードから前記第１の省電力モードへ移行する移行時間を経過したときに、前記第１の省電力モードへ移行するように、前記スイッチ手段を制御する制御手段と、を備えることを特徴としている。
【０００６】
請求項２に記載の発明は、請求項１に記載の発明において、前記第２の省電力モード時の待機電力が変化するオプション装置の装着を検出する検出手段を更に備え、前記制御手段が、前記検出手段によって前記オプション装置の装着が検出された場合に、前記オプション装置が装着された場合の前記第１の省電力モードへ移行してから復帰するまでに要する電力量と、前記オプション装置が装着された場合の前記第２の省電力モードへ移行してから復帰するまでに要する電力量と、に基づいて予め算出した時間を前記移行時間として、前記スイッチ手段を制御することを特徴としている。
【０００７】
請求項３に記載の発明は、請求項１又は請求項２に記載の発明において、前記制御手段は、自装置の使用頻度が高いと想定される予め定めた条件の場合に、前記移行時間を予め定めた時間延長するように更に制御することを特徴としている。
【０００８】
請求項４に記載の発明は、請求項１〜３の何れか１項に記載の発明において、前記制御手段は、（時間Ｔにおける前記第１の省電力モードの電力量）＋（前記第１の省電力モードの復帰時に必要な電力量）≦（時間Ｔにおける前記第２の省電力モードの電力量）＋（前記第２の省電力モードの復帰時に必要な電力量）を満たす最小の時間Ｔを前記移行時間として前記スイッチ手段を制御することを特徴としている。
【０００９】
請求項５に記載の情報処理装置の省電力プログラムは、コンピュータを、請求項１〜４の何れか１項に記載の情報処理装置の制御手段として機能させることを特徴としている。
【発明の効果】
【００１０】
請求項１に記載の情報処理装置によれば、本構成を採用しない場合と比較して、消費電力低減と利便性を両立させることができる、という効果がある。
【００１１】
請求項２に記載の情報処理装置によれば、オプション装置によって消費電力が変化しても、変化した消費電力を反映して消費電力低減と利便性を両立させることができる、という効果がある。
【００１２】
請求項３に記載の情報処理装置によれば、自装置の使用頻度が高い場合には、利便性を優先させることができる、という効果がある。
【００１３】
請求項４に記載の情報処理装置によれば、利便性を維持しつつ消費電力を最大限低減することができる、という効果がある。
【００１４】
請求項５に記載の情報処理装置の省電力プログラムによれば、本構成を採用しない場合と比較して、消費電力低減と利便性を両立させることができる、という効果がある。
【図面の簡単な説明】
【００１５】
【図１】本発明の第１実施形態に係わる画像形成装置の概略構成を示すブロック図である。
【図２】コントローラの詳細な構成を示すブロック図である。
【図３】（Ａ）はオフモード１の電力と復帰までに要する電力量を示す図であり、（Ｂ）はオフモード２の電力と復帰までに要する電力量を示す図である。
【図４】本発明の第１実施形態に係わる画像形成装置におけるオフモードへ遷移と電力量の一例を示す図である。
【図５】本発明の第１実施形態に係わる画像形成装置のコントローラで行われる省電力処理の一例を示すフローチャートである。
【図６】本発明の第２実施形態に係わる画像形成装置の概略構成を示すブロック図である。
【図７】本発明の第２実施形態に係わる画像形成装置のコントローラ２０で行われる省電力処理の一例を示すフローチャートである。
【図８】本発明の第３実施形態に係わる画像形成装置のコントローラ２０で行われる省電力処理の一例を示すフローチャートである。
【発明を実施するための形態】
【００１６】
以下、図面を参照して本発明の実施の形態の一例を詳細に説明する。
【００１７】
（第１実施形態）
図１は、本発明の第１実施形態に係わる画像形成装置１０の概略構成を示すブロック図である。
【００１８】
本発明の第１実施形態に係わる画像形成装置１０は、主電源スイッチ（主電源ＳＷ）１２と副電源スイッチ（副電源ＳＷ）１４を備えている。
【００１９】
主電源ＳＷ１２では、ＡＣコンセント１３から漏電遮断回路１６及びノイズフィルタ１８を介して画像形成装置１０に供給される電力のオンオフが行われる。
【００２０】
主電源ＳＷ１２には、画像形成装置１０全体を制御するコントローラ２０が接続された電源回路Ａ３０が接続されている。主電源ＳＷ１２がオンされることにより、電源回路Ａ３０からコントローラ２０へ電力供給される。
【００２１】
また、主電源ＳＷ１２には、ＳＷ−Ａ２２を介して電源回路Ｂ３２が接続されている。電源回路Ｂ３２には、操作部３４、読取部３６、及び印字部３８が接続されている。また、電源路Ｂ３２と操作部３４間にはＳＷ−Ｂ２４が接続され、電源回路Ｂ３２と読取部３６間にはＳＷ−Ｃ２６が接続され、電源回路Ｂ３２と印字部３８間にはＳＷ−Ｄが接続されている。
【００２２】
ＳＷ−Ａ２２、ＳＷ−Ｂ２４、ＳＷ−Ｃ２６、及びＳＷ−Ｄ２８は、それぞれコントローラ２０によってオンオフが制御される。すなわち、コントローラ２０が画像形成装置１０を構成する各部（操作部３４、読取部３６、及び印字部３８等）への電力供給を制御するようになっている。
【００２３】
また、本実施形態では、コントローラ２０に主電源ＳＷ１２が接続されており、コントローラ２０からの制御信号によって主電源ＳＷ１２のオフが制御可能とされている。
【００２４】
一方、副電源ＳＷ１４は、コントローラ２０に接続されており、コントローラ２０は副電源スイッチ１４のステータスによって、画像形成装置１０全体の電力供給制御を行う。
【００２５】
ここで、コントローラ２０の構成について説明する。図２は、コントローラ２０の詳細な構成を示すブロック図である。
【００２６】
コントローラ２０は、ＣＰＵ（Central Processing Unit）４０を備えており、ＣＰＵ４０によって画像形成装置１０が制御される。
【００２７】
ＣＰＵ４０には、ＲＯＭ（Read Only Memory）４２、及びＤＲＡＭ（Dynamic Random Access Memory）４４がメモリバス４６を介して接続されていると共に、電源制御回路４８、インタフェース回路５０、操作制御回路５２、及びビデオインタフェース回路５４がＩ／Ｏ（Input/Output）バス５６、５８を介して接続されている。
【００２８】
インタフェース回路５０は、例えば、図２に示すように、ハードディスク（HDD）６０を接続するためのＨＤＤインタフェース（I/F）６２、ホストコンピュータ（Host PC）６４をＵＳＢ（Universal Serial Bus）接続するためのＵＳＢインタフェース（I/F）６６、及びホストコンピュータ（Host PC）６８をＬＡＮ（Local Area Network）接続するためのＬＡＮインタフェース（I/F）７０を備えている。
【００２９】
また、操作制御回路５２には、操作パネル７２が接続されており、操作パネル７２によって操作された情報がＣＰＵ４０へ出力可能とされている。
【００３０】
ビデオインタフェース回路５４には、印刷エンジン７４やスキャナ７６等が接続されており、スキャ７６等に読み取ることによって得られる画像情報に対して予め定めた画像処理を行って、印刷エンジン７４に出力することにより、印刷が行われる。
【００３１】
また、電源制御回路４８には、副電源ＳＷ１４が接続されていると共に、トランジスタスイッチ７８のベースが接続されている。
【００３２】
トランジスタスイッチ７８のコレクタは、ＣＰＵ４０に接続され、トランジスタスイッチ７８のエミッタは、接地されている。本実施形態では、電源制御回路４８がトランジスタスイッチ７８のオンオフを制御することにより、ＤＲＡＭ４４のセルフリフレッシュモードに入れるためのＣＫＥ信号のＬＯＷレベルへの固定が可能とされている。
【００３３】
ところで、本実施形態に係わる画像形成装置１０は、消費電力を低減するためのオフモードを備えており、画像形成装置１０に対して動作指示等が何も行われない状態が予め定めた時間経過すると、オフモードへ移行するようになっている。オフモードは、本実施形態では、オフモード１とオフモード２の２つのオフモードを有している。
【００３４】
オフモード１は、主電源ＳＷ１２がオフされた状態であり、漏電遮断回路１６やノイズフィルタ１８を除き、画像形成装置１０の電力がオフされた状態である。すなわち、消費電力を低く（ほぼゼロ）となるが、コントローラ２０のＤＲＡＭ４４内のプログラムやデータも保持されないため、復帰時間が長くなる。主電源ＳＷ１２は、ユーザによる操作だけではなく、上述したように、コントローラ２０から制御によってオフ操作可能とされているため、コントローラ２０の制御によって主電源ＳＷ１２をオフしてオフモード１へ遷移可能とされている。
【００３５】
一方、オフモード２は、副電源ＳＷ１４がオフされた状態と同じであり、漏電遮断回路１６やノイズフィルタ１８以外に、電源制御回路４８及びＤＲＡＭ４４にも通電される。すなわち、ＤＲＡＭ４４内に起動時等に展開されたプログラムやデータを保持可能とされるので、復帰時間がオフモード１よりも短くなるが、消費電力はオフモード１よりも多くなる。
【００３６】
このように構成された本実施形態に係わる画像形成装置１０では、まず主電源ＳＷ１２をオンすると、画像形成装置１０の起動を開始する。コントローラ２０上のＣＰＵ４０は、リセット解除後ＲＯＭ４２よりプログラムを読み出す。また、コントローラ２０は、ＳＷ−Ａ、ＳＷ−Ｂ、ＳＷ−Ｃ、及びＳＷ−Ｄをオンして、操作部３４、読取部３６、及び印字部３８の各部へ通電する。コントローラ２０は、ＲＯＭ４２内のプログラムデータをＤＲＡＭ４４に読み出して展開し、操作部３４、読取部３６、及び印字部３８と通信しながら、各種アプリケーションを起動することで、画像形成装置をスタンバイ状態へ移行させる。
【００３７】
ここで、画像形成装置１０の動作が行われない時間が予め定めた時間経過すると、オフモードへ移行する。本実施形態では、まずオフモード２へ移行する。
【００３８】
すなわち、コントローラ２０のＣＰＵ４０は、ＤＲＡＭ４４内のプログラム及びデータをセルフリフレッシュモードへ入れることで、展開したプログラムやデータを保持する。セルフリフレッシュモードへ入れるために、ＣＰＵ４０はＤＲＡＭ４４へ出力するＣＫＥ信号をＬｏｗレベルとする。電源制御回路４８は、ＣＰＵ４０からＤＲＡＭ４４に入力されるＣＫＥ信号をＬｏｗレベルに固定するための信号をトランジスタスイッチ７８へ出力する。これによりトランジスタスイッチ７８がオンとなり、ＣＫＥ信号がＬｏｗレベルに固定される。その後、電源制御回路４８は不要回路の電源をオフすることにより、オフモード２へ移行する。
【００３９】
ここで、副電源ＳＷ１４がオンされるとオフモード２から復帰を開始する。副電源ＳＷ１４のオンを電源制御回路４８が検知し、コントローラ２０内のデバイスへの電源供給を再開する。ＣＰＵ４０は、ＲＯＭ４２内のブートプログラムを実行し、自身内部のＤＲＡＭコントローラを初期化する。電源制御回路４８は、トランジスタスイッチ７８をオフすることにより、ＣＫＥ信号のＬｏｗレベルの固定を解除する。ＣＰＵ４０は、ＤＲＡＭ４４へのＣＫＥ信号をＨｉｇｈレベルとし、セルフリフレッシュモードから通常のオートリフレッシュモードへ遷移させる。これによりＤＲＡＭ４４内のプログラムを実行しスタンバイ状態へ復帰する。
【００４０】
また、本実施形態では、オフモード２の状態が予め定めた時間ＴＡが経過すると、オフモード１へ移行する。すなわち、コントローラ２０は、主電源ＳＷ１２をオフして、画像形成装置１０への通電を停止する。これにより、コントローラ２０のＤＲＡＭ４４内のプログラム及びデータは保持されなくなるので、復帰時間が長くなってしまうが、漏電遮断回路１６及びノイズフィルタ１８以外の通電が停止されるので、消費電力はほぼゼロとなり消費電力が低減される。
【００４１】
ここで、オフモード２からオフモード１へ移行する時間ＴＡの算出方法について詳細に説明する。
【００４２】
オフモード１の消費電力をＰ１、主電源ＳＷ１２をオンしてからオフモード１から復帰するまでの復帰時間をＴ１とする。
【００４３】
また、オフモード２の消費電力をＰ２、副電源ＳＷ１４をオンしてからオフモード２から復帰するまでの復帰時間をＴ２とする。
【００４４】
また、スタンバイ時の消費電力をＰ０とする。なお、Ｐ０、Ｐ１、Ｐ２、Ｔ１、Ｔ２は画像形成装置１０の種類毎に決まる。
【００４５】
それぞれの関係は、上述の通り、Ｐ１＜Ｐ２＜Ｐ０、Ｔ１＞Ｔ２となる。
【００４６】
図３（Ａ）、（Ｂ）にそれぞれのオフモード時の電力と復帰時までに要する電力量を示す。図３（Ａ）はオフモード１の電力と復帰までに要する電力量を示し、図３（Ｂ）はオフモード２の電力と復帰までに要する電力量を示す。
【００４７】
オフモード中の時間をＴとすると、オフモード１から復帰するまでに要する電力量は、（時間Ｔにおけるオフモード１の電力量）＋（オフモード１の復帰時に必要な電力量）＝Ｐ１×Ｔ＋Ｐ０×Ｔ１となり、オフモード２から復帰するまでに要する電力量は、（時間Ｔにおけるオフモード２の電力量）＋（オフモード２の復帰時に必要な電力量）＝Ｐ２×Ｔ＋Ｐ０×Ｔ２となる。
【００４８】
ところで、本実施形態では、まず、オフモード１に比べて復帰時間が短く利便的なオフモード２へ移行するが、オフモード１よりも消費電力が多いため、あるところでオフモード１へ移行させる方が消費電力の低減を図る上で好ましい。
【００４９】
そこで、本実施形態では、オフモード１へ移行してから復帰するまでに要する電力量と、オフモード２へ移行してから復帰するまでに要する電力量と、に基づいて、消費電力低減と利便性を両立可能な移行時間を求めてオフモード２からオフモード１への移行を制御するようになっている。
【００５０】
具体的には、（Ｐ１×Ｔ＋Ｐ０×Ｔ１）≦（Ｐ２×Ｔ＋Ｐ０×Ｔ２）を満たす時間Ｔを求める。上記式を満たす時間Ｔのうち最小の時間を移行時間ＴＡとして求めることにより、消費電力の低減と利便性が可能となる。
【００５１】
すなわち、本実施形態に係わる画像形成装置１０では、スタンバイ状態から予め定めた時間経過後に、復帰時間が短い利便性を重視したオフモード２へ移行し、その後、移行時間ＴＡ経過後にオフモード１へ移行するように制御するようになっている（図４）。
【００５２】
続いて、上述のように構成された本発明の第１実施形態に係わる画像形成装置１０で行われる具体的な処理について説明する。図５は、本発明の第１実施形態に係わる画像形成装置１０のコントローラ２０で行われる省電力処理の一例を示すフローチャートである。
【００５３】
まず、ステップ１００では、予め定めた時間経過したか否か判定され、該判定が肯定された場合にはステップ１０２へ移行する。
【００５４】
ステップ１０２では、オフモード２へ移行する。すなわち、上述したように、コントローラ２０のＣＰＵ４０が、ＤＲＡＭ４４をセルフリフレッシュモードへ入れるために、ＣＫＥ信号をＬｏｗレベルとし、電源制御回路４８が、ＣＫＥ信号をＬｏｗレベルに固定するための信号をトランジスタスイッチ７８へ出力する。これによりトランジスタスイッチ７８がオン状態となり、ＣＫＥ信号がＬｏｗレベルに固定される。その後、電源制御回路４８が不要回路の電源をオフすることにより、オフモード２へ移行する。
【００５５】
次にステップ１０４では、コントローラ２０内でカウントする時間Ｔがリセットされてステップ１０６へ移行する。
【００５６】
ステップ１０６では、オフモード２へ移行してから移行時間ＴＡ経過したか否か判定され、該判定が否定された場合にはステップ１０８へ移行し、肯定された場合にはステップ１１２へ移行する。
【００５７】
ステップ１０８では、復帰要因があるか否か判定される。該判定は、例えば、副電源ＳＷ１４がオンされたか否かを判定し、該判定が否定された場合にはステップ１０６に戻って上述の処理が繰り返され、判定が肯定された場合にはステップ１１０へ移行する。
【００５８】
ステップ１１０では、オフモード２からの復帰が行われて一連の処理を終了する。すなわち、上述したように、副電源ＳＷ１４のオンを電源制御回路４８が検知し、コントローラ２０内のデバイスへの電源供給を再開する。そして、ＣＰＵ４０は、ＲＯＭ４２内のブートプログラムを実行し、ＤＲＡＭ４４のコントローラを初期化し、電源制御回路４８は、トランジスタスイッチ７８をオフすることにより、ＣＫＥ信号のＬｏｗレベルの固定を解除して、セルフリフレッシュモードから通常のオートリフレッシュモードへ遷移させる。これによって、ＤＲＡＭ４４内のプログラムを実行しスタンバイ状態へ復帰する。
【００５９】
一方、ステップ１１２では、オフモード１へ移行してステップ１１４へ移行する。すなわち、コントローラ２０は、主電源ＳＷ１２をオフして、画像形成装置１０への通電を停止する。
【００６０】
ステップ１１４では、復帰要因があるか否か判定される。該判定は、例えば、主電源ＳＷ１２がオンされたか否かを判定し、該判定が肯定されるまで待機してステップ１１６へ移行して、オフモード１からの復帰が行われて一連の処理を終了する。
【００６１】
このように、本実施形態に係わる画像形成装置１０では、動作指示等が行われずに予め定められた時間が経過したところで、オフモード１よりも消費電力は多いが復帰時間が短い利便的なオフモード２へ移行するので、消費電力を低減しながら直ぐに復帰できる状態となる。
【００６２】
また、オフモード２へ移行してからさらに動作指示等が行われずに、オフモード１へ移行してから復帰するまでに要する電力量と、オフモード２へ移行してから復帰するまでに要する電力量と、に基づいて予め算出した移行時間ＴＡを経過したときに、オフモード１へ移行するので、オフモード２を継続するよりも消費電力が低減される。
【００６３】
従って、算出した時間ＴＡを境にオフモード２からオフモード１へ移行するように制御することで、消費電力低減と利便性が両立されることになる。
【００６４】
（第２実施形態）
続いて、本発明の第２実施形態に係わる画像形成装置について説明する。図６は、本発明の第２実施形態に係わる画像形成装置の概略構成を示すブロック図である。なお、第１実施形態と同一構成については同一符号を付して詳細な説明を省略する。
【００６５】
画像形成装置には、ソート機能や、ステープル機能、パンチ機能などの後処理を行うオプション装置を装着できる場合がある。この場合には、起動時の消費電力が増えるため、第１実施形態で算出したオフモード２からオフモード１へ移行する時間ＴＡが変化することになる。
【００６６】
そこで、第２実施形態では、第１実施形態に係わる画像形成装置１０に対して、図６に示すように、後処理を行うオプション装置の装着を検出するための検出回路８０が印字部３８に更に設けられている。
【００６７】
すなわち、オプション装置の装着を検出回路８０が検出して、オフモード２からオフモード１へ移行する時間ＴＡを変更するようになっている。
【００６８】
オプション装置が装着された場合の時間ＴＡは、装着されたオプション装置の種類から起動時の電力量Ｐ０’を求める。
【００６９】
そして、（Ｐ１×Ｔ＋Ｐ０’×Ｔ１）≦（Ｐ２×Ｔ＋Ｐ０’×Ｔ２）を満たす時間Ｔを求め、上記式を満たす時間Ｔのうち最小の時間をＴＡとして求める。例えば、オプション装置の品種毎の時間ＴＡを算出して予めコントローラ２０に記憶しておき、検出回路８０の検出結果に基づいて、用いる時間ＴＡを選択することにより、オプション装置毎の移行時間ＴＡに変更する。
【００７０】
続いて、本発明の第２実施形態に係わる画像形成装置で行われる具体的な処理について説明する。図７は、本発明の第２実施形態に係わる画像形成装置のコントローラ２０で行われる省電力処理の一例を示すフローチャートである。
【００７１】
まず、ステップ２００では、予め定めた時間経過したか否か判定され、該判定が肯定された場合にはステップ２０２する。
【００７２】
ステップ２０２では、オフモード２へ移行する。すなわち、上述したように、コントローラ２０のＣＰＵ４０が、ＤＲＡＭ４４をセルフリフレッシュモードへ入れるために、ＣＫＥ信号をＬｏｗレベルとし、電源制御回路４８が、ＣＫＥ信号をＬｏｗレベルに固定するための信号をトランジスタスイッチ７８へ出力する。これによりトランジスタスイッチ７８がオン状態となり、ＣＫＥ信号がＬｏｗレベルに固定される。その後、電源制御回路４８が不要回路の電源をオフすることにより、オフモード２へ移行する。
【００７３】
次にステップ２０４では、コントローラ２０内でカウントする時間Ｔがリセットされてステップ２０６へ移行する。
【００７４】
ステップ２０６では、オプション装置が検出回路８０によって検出されたか否か判定され、該判定が肯定された場合にはステップ２０８へ移行し、否定された場合にはステップ２１０へ移行する。
【００７５】
ステップ２０８では、移行時間ＴＡをオプション装置の種類に応じた時間に設定されてステップ２１０へ移行する。すなわち、オプション装置の種類によって起動時の消費電力が変化するために、オプション装置による起動時の消費電力を考慮して算出した移行時間ＴＡに変更される。
【００７６】
ステップ２１０では、オフモード２へ移行してから移行時間ＴＡ経過したか否か判定され、該判定が否定された場合にはステップ２１２へ移行し、肯定された場合にはステップ２１６へ移行する。
【００７７】
ステップ２１２では、復帰要因があるか否か判定される。該判定は、例えば、副電源ＳＷ１４がオンされたか否かを判定し、該判定が否定された場合にはステップ２１０に戻って上述の処理が繰り返され、判定が肯定された場合にはステップ２１４へ移行する。
【００７８】
ステップ２１４では、オフモード２からの復帰が行われて一連の処理を終了する。すなわち、副電源ＳＷ１４のオンを電源制御回路４８が検知し、コントローラ２０内のデバイスへの電源供給を再開する。そして、ＣＰＵ４０は、ＲＯＭ４２内のブートプログラムを実行し、ＤＲＡＭ４４のコントローラを初期化し、電源制御回路４８は、トランジスタスイッチ７８をオフすることにより、ＣＫＥ信号のＬｏｗレベルの固定を解除して、セルフリフレッシュモードから通常のオートリフレッシュモードへ遷移させる。これによって、ＤＲＡＭ４４内のプログラムを実行しスタンバイ状態へ復帰する。
【００７９】
一方、ステップ２１６では、オフモード１へ移行してステップ２１８へ移行する。すなわち、コントローラ２０は、主電源ＳＷ１２をオフして、画像形成装置への通電を停止する。
【００８０】
ステップ２１８では、復帰要因があるか否か判定される。該判定は、例えば、主電源ＳＷ１２がオンされたか否かを判定し、該判定が肯定されるまで待機してステップ２２０へ移行して、オフモード１からの復帰が行われて一連の処理を終了する。
【００８１】
このように本実施形態では、第１実施形態に対して、消費電力が変化するオプション装置が装着されても、オプション装置を考慮したオフモード２からオフモード１へ移行する移行時間ＴＡに変更されるので、オプション装置が装着された場合でも第１実施形態と同様に、消費電力低減と利便性が両立される。
【００８２】
（第３実施形態）
続いて、第３実施形態に係わる画像形成装置について説明する。
【００８３】
第２実施形態では、第１実施形態に対してオプション装置の装着の有無により、オフもオード２からオフモード１へ移行する移行時間ＴＡを変更する例を説明したが、第３実施形態では、時間帯に応じて移行時間ＴＡを変更するようにしたものであり、基本的構成は第１実施形態と同一である。
【００８４】
すなわち、本実施形態では、オフモード２へ移行して、移行時間ＴＡ経過後にオフモード１へ遷移するが、オフモード１は復帰時間がオフモード２に比べて長くなるため利便性の観点で好ましくない。そこで、第３実施形態では、画像形成装置の使用頻度が高いと想定される条件の場合には、移行時間ＴＡを延長して利便性を優先させるように制御する。
【００８５】
具体的には、ユーザによる使用が予め予測される時間帯では、移行時間ＴＡを延長するように制御する。例えば、カレンダ情報（曜日）や時間情報を用いてユーザによる使用が予め予測される時間帯を判断する。例えば、夜間は第１実施形態で求めた移行時間ＴＡ経過後にオフモード１へ移行し、平日の昼間は、使用頻度が高いと予想されるため移行時間ＴＡを延長してユーザの利便性を優先させる。なお、延長時間としては、予め定めた時間としてもよいし、ユーザによって任意に設定可能としてもよい。
【００８６】
次に、本発明の第３実施形態に係わる画像形成装置で行われる具体的な処理について説明する。図８は、本発明の第３実施形態に係わる画像形成装置のコントローラ２０で行われる省電力処理の一例を示すフローチャートである。なお、第３実施形態の省電力処理は、第２実施形態の省電力処理に対して一部が異なるのみであるため、第２実施形態と同一処理については、第２実施形態と同一符号を付して説明する。
【００８７】
まず、ステップ２００では、予め定めた時間経過したか否か判定され、該判定が肯定された場合にはステップ２０２へ移行する。
【００８８】
ステップ２０２では、オフモード２へ移行する。すなわち、上述したように、コントローラ２０のＣＰＵ４０が、ＤＲＡＭ４４をセルフリフレッシュモードへ入れるために、ＣＫＥ信号をＬｏｗレベルとし、電源制御回路４８が、ＣＫＥ信号をＬｏｗレベルに固定するための信号をトランジスタスイッチ７８へ出力する。これによりトランジスタスイッチ７８がオン状態となり、ＣＫＥ信号がＬｏｗレベルに固定される。その後、電源制御回路４８が不要回路の電源をオフすることにより、オフモード２へ移行する。
【００８９】
次にステップ２０４では、コントローラ２０内でカウントする時間Ｔがリセットされてステップ２０５へ移行する。
【００９０】
ステップ２０５では、予め定めた時間帯か否か判定される。該判定は、予め設定された、ユーザによる使用が予め予測される時間帯であるか否かを判定し、該判定が肯定された場合にはステップ２０７へ移行し、否定された場合にはステップ２１０へ移行する。
【００９１】
ステップ２０７では、移行時間ＴＡが予め定めた時間延長した時間に設定されてステップ２１０へ移行する。すなわち、ユーザによる使用が予め予測される時間帯には、復帰時間を優先させた移行時間ＴＡに変更される。
【００９２】
ステップ２１０では、オフモード２へ移行してから移行時間ＴＡ経過したか否か判定され、該判定が否定された場合にはステップ２１２へ移行し、肯定された場合にはステップ２１６へ移行する。
【００９３】
ステップ２１２では、復帰要因があるか否か判定される。該判定は、例えば、副電源ＳＷ１４がオンされたか否かを判定し、該判定が否定された場合にはステップ２１０に戻って上述の処理が繰り返され、判定が肯定された場合にはステップ２１４へ移行する。
【００９４】
ステップ２１４では、オフモード２からの復帰が行われて一連の処理を終了する。すなわち、副電源ＳＷ１４のオンを電源制御回路４８が検知し、コントローラ２０内のデバイスへの電源供給を再開する。そして、ＣＰＵ４０は、ＲＯＭ４２内のブートプログラムを実行し、ＤＲＡＭ４４のコントローラを初期化し、電源制御回路４８は、トランジスタスイッチ７８をオフすることにより、ＣＫＥ信号のＬｏｗレベルの固定を解除して、セルフリフレッシュモードから通常のオートリフレッシュモードへ遷移させる。これによって、ＤＲＡＭ４４内のプログラムを実行しスタンバイ状態へ復帰する。
【００９５】
一方、ステップ２１６では、オフモード１へ移行してステップ２１８へ移行する。すなわち、コントローラ２０は、主電源ＳＷ１２をオフして、画像形成装置への通電を停止する。
【００９６】
ステップ２１８では、復帰要因があるか否か判定される。該判定は、例えば、主電源ＳＷ１２がオンされたか否かを判定し、該判定が肯定されるまで待機してステップ２２０へ移行して、オフモード１からの復帰が行われて一連の処理を終了する。
【００９７】
このように本実施形態では、使用頻度が高いと想定される条件の場合には、第１実施形態に対して、オフモード２からオフモード１へ移行する移行時間ＴＡが延長されるので、使用頻度が高い場合には利便性が優先される。従って、画像形成装置の使用頻度に応じた、消費電力低減と利便性の両立がなされる。
【００９８】
なお、上記の実施の形態では、第２実施形態と第３実施形態を個別に説明したが、第２実施形態及び第３実施形態を組み合わせるようにしてもよい。すなわち、オプション装置が装着された場合の時間ＴＡの変更と、使用頻度が高いと想定される場合の時間ＴＡの延長を共に行うようにしてもよい。
【００９９】
また、上記の各実施形態では、画像形成装置を例に挙げて説明したが、これに限るものではなく、各種情報処理装置を適用して、上記の各実施形態で説明したように各オフモードへ移行するように制御するようにしてもよい。
【０１００】
また、上記の各実施形態におけるコントローラ２０で行われる各処理は、ハードウエアによって実行するようにしてもよいし、ソフトウエアのプログラムを実行することによって行うようにしてもよい。また、当該プログラムは、各種記憶媒体に記憶して流通するようにしてもよい。
【符号の説明】
【０１０１】
１０    画像形成装置
１２    主電源スイッチ
２０    コントローラ
４０    ＣＰＵ
４２    ＲＯＭ
４４    ＤＲＡＭ
４８    電源制御回路
７８    トランジスタスイッチ
８０    検出回路
【図１】
2013196472.tif 000003
【図２】
2013196472.tif 000004
【図３】
2013196472.tif 000005
【図４】
2013196472.tif 000006
【図５】
2013196472.tif 000007
【図６】
2013196472.tif 000008
【図７】
2013196472.tif 000009
【図８】
2013196472.tif 000010